(57)【要約】      （修正有）【課題】トレーニング器具やおもりを使用したウエイト・トレーニングが、実際のスポーツの時と同じ動作でトレーニングを行うことができず、本来、目的とするスポーツで使用する筋肉と違う筋肉をも鍛えてしまっていたことを防止する。また、実際のプレー時や日常生活の動きの中で、筋肉にバランスよく負荷をあたえることで、効果的なトレーニングを行いながら、当該スポーツに必要な筋肉を鍛えることができるウエイト・トレーニングウェアを提供する。【解決手段】トレーニングウェアの生地素材３、４は、ストレッチ性があり、該生地素材は重量負荷を得るために５００ｇ／ｍ２以上の目付けを有する生地素材を縫製してウエイト・トレーニングウェアを製作する【選択図】図１a
2006122088.tif 000002
【特許請求の範囲】
【請求項１】
トレーニングウェア生地素材はストレッチ性があり、該生地素材はトレーニングウェアとして最適な重量負荷を得るために単位面積あたりの重量で５００ｇ／ｍ２以上の目付を有する生地素材にて構成されていること、
を特徴とするウエイト・トレーニングウェア。
【請求項２】
一種又は複数種の天然繊維及び／又は一種又は複数種の化学繊維を交編又は交織した、重量負荷があり且つストレッチ性のある一枚の生地素材を形成し、該生地素材は、一枚の生地素材ではトレーニングウェアとして最適な重量負荷が得られない場合には更に該生地素材をボンディングあるいは縫製等にて一枚重ね合わせて二重としまたは複数枚重ね合わせて単位面積あたりの重量（目付）をアップせしめ、該重量を増した二枚重ねまたは複数枚重ねの生地素材であること、
を特徴とするウエイト・トレーニングウェア。
【請求項３】
前記化学繊維がポリウレタンであること、
を特徴とする請求項２記載のウエイト・トレーニングウェア。
【請求項４】
前記生地素材を一枚でベース生地素材として縫製してトレーニングウェアを製作するに際し、該トレーニングウェアの関節部位はストレッチ性に富んだ機能を必要とするため前記一枚の生地素材のみで形成し、前記関節部以外は重量を増した二枚重ねまたは複数枚重ねの生地素材から形成されていること、
を特徴とする請求項１または請求項２記載のウエイト・トレーニングウェア。
【請求項５】
前記トレーニングウェアの生地素材は重量負荷が大きいため着用者の発汗作用が著しく部分的に吸汗発散機能のある経編エステルメッシュ等のメッシュ素材を生地素材として使用し、前記トレーニングウェアにメッシュ素材からなる発汗部を適宜設けたこと、
を特徴とする請求項１、請求項２又は請求項４の何れかに記載のウエイト・トレーニングウェア。
【請求項６】
通常のトレーニングウェア内側に縫製して一体化、または、通常のトレーニングウェアの内側に着込むアンダーウェアとなし、該トレーニングウェアは一種又は複数種の天然繊維及び／又は一種又は複数種の化学繊維を交編又は交織した、重量負荷のある生地を二枚合わせて接着剤等にてボンディングし、又は縫製し、ストレッチ性のある一枚のトレーニングウェア用生地素材を形成し、該生地素材は一枚の生地素材でトレーニングウェアとして最適な重量負荷が得られない場合には更に該生地素材をボンディングあるいは縫製等で二枚重ねまたは複数枚重ね合わせして単位面積あたりの重量（目付）をアップせしめ、該重量を増した二枚重ねまたは複数枚重ねの生地素材にて関節部位等を除くストレッチ性をあまり必要としない部位を構成したこと、
を特徴とするウエイト・トレーニングウェア又はウエイト・トレーニング用アンダーウェア。
【発明の詳細な説明】
【技術分野】
【０００１】
本発明は、トレーニング時、身体全体にバランスよく均一な重量負荷がかかった状態を作りだしトレーニング効果を高めるためのウエイト・トレーニングウェアに関するものである。
【背景技術】
【０００２】
スポーツ選手のトレーニング方法の一つとして、ウエイト・トレーニングがある。然しながら、従来のウエイト・トレーニングは、トレーニング器具やおもりを使用しているために、実際のスポーツ時の動きと同じ動作で行うことができなかった。このため、スポーツ選手各自が、ウエイト・トレーニングにて本来使用する筋肉と違う筋肉をも鍛えてしまうことも多分にあった。
【０００３】
この改善策としては、スポーツトレーナーによる正しいトレーニング器具の使い方指導や筋肉トレーニング方法の指導が必要であるが、スポーツトレーナーの人材育成は中々進歩していないのが現況である。
【０００４】
また、各スポーツ選手は各自の目指すスポーツ自体の練習に加えてウエート・トレーニングをも実践しなくては成らず、場合によっては、これが疲労蓄積の原因ともなりかねない。
【発明の開示】
【発明が解決しようとする課題】
【０００５】
本発明が解決しようとする問題点は、従来のトレーニング器具やおもりを使用したウエイト・トレーニングが、実際に目的とするスポーツの時と同じ動作で行うことができず、ウエイト・トレーニングによって、本来目的とするスポーツが使用する筋肉と違う筋肉をも鍛えてしまうことを防止し、身体全体にバランスよく負荷をかけうるという、新規なウエイト・トレーニングウェアを提供するものである。
【０００６】
また、本発明のウエイト・トレーニングウェアは、実際のプレー時の動きの中で、筋肉にバランスよく負荷をあたえるものであって、効果的なトレーニングを行いながら、当該スポーツに必要な筋肉を鍛えることができるウエイト・トレーニングウェアを提供するものである。
【課題を解決するための手段】
【０００７】
本発明におけるトレーニングウェア生地素材は、ストレッチ性（伸縮性）があり、該生地素材はトレーニングウェアとして最適な重量負荷を得るために単位面積あたりの重量で５００ｇ／ｍ２以上の目付を有する生地素材にて構成されている。
【０００８】
本発明は、まず天然繊維及び／又は化学繊維（何れも一種又は複数種の）を交編又は交織した、重量負荷があり且つストレッチ性のある一枚の生地素材を形成するものである。
【０００９】
該生地素材は、一枚の生地素材でトレーニングウェアとして最適な重量負荷が得られない場合には、更に該生地素材をボンディング等で一枚重ね合わせて二重とし、または複数枚重ね合わて単位面積あたりの重量（目付）をアップせしめ、該重量を増した二枚重ね、または複数枚重ねの生地素材を用いることでウエイト・トレーニングウェアを具現化している。
【００１０】
尚、前記化学繊維としては、重量感のあるポリウレタンを採択することも好ましい。
【００１１】
また、本発明においては、前記生地素材を一枚でベース生地素材として縫製してトレーニングウェアを製作するに際し、該トレーニングウェアの関節部位はストレッチ性に富んだ機能を必要とするために前記一枚の生地素材のみにて形成し、前記関節部以外は重量を増した二枚重ね、または複数枚重ねの生地素材を用いる。
【００１２】
また、本発明における、前記トレーニングウェアの生地素材は、重量負荷が大きいため着用者の発汗作用が著しく部分的に吸汗発散機能のある経編エステルメッシュ等のメッシュ素材を生地素材として使用し、前記トレーニングウェアに発汗部を適宜設けた。
【００１３】
更にまた、本発明においては、ウェイト・トレーニングウェアを通常のトレーニングウェア内側に縫製して一体化、または、通常のトレーニングウェアの内側に着込むアンダーウェアとなし、該トレーニングウェアは天然繊維及び／又は化学繊維（何れも一種又は複数種の）を交編又は交織した重量負荷のある生地を二枚合わせて接着剤等にてボンディング又は縫製してストレッチ性のある一枚のトレーニングウェア用生地素材を形成している。
【００１４】
該生地素材は、一枚の生地素材ではトレーニングウェアとして最適な重量負荷が得られない場合更に該生地素材をボンディングあるいは縫製等で二枚重ね、または複数枚重ね合わせして単位面積あたりの重量（目付）をアップせしめ、該重量を増した二枚重ね、または複数枚重ねの生地素材にて関節部位等を除くストレッチ性をあまり必要としない部位を構成してウエイト・トレーニングウェア又はウエイト・トレーニング用アンダーウェアを具現化したものである。
【発明の効果】
【００１５】
斯くして、本発明は、従来のトレーニング器具やおもりを使用したウエイト・トレーニングが実際の目的とするスポーツの時と同じ動作で行うことができず、ウエイト・トレーニングによって、本来目的とするスポーツが使用する筋肉と違う筋肉をも鍛えてしまうという欠点を防止し、身体全体にバランスよく負荷をかけうるウエイト・トレーニングウェアを提供することができた。
【００１６】
また、本発明のウエイト・トレーニングウェアは、実際の練習時に着用してプレー時の動きを実践し、その動きの中で筋肉に負荷をあたえるもので、効果的なトレーニングを行いながら、当該スポーツに必要な筋肉をバランスよく鍛えることができるウエイト・トレーニングウェアを提供することができた。
【００１７】
更にまた、本発明においてはウエイト・トレーニングウェアを脱いで、試合用のウェアに着替えたときに非常に身軽さを感じることから、機敏性が極めて向上するという効果もあり、該効果は従来のウエイト・トレーニングでは、期待できなかったものである。
【００１８】
尚、厳密な意味での運動選手のトレーニングに限られず、一般的競技力向上や、一般的健康保持乃至増進、更にはリハビリ回復能力の向上もまた顕著な効果と言える。
【発明を実施するための最良の形態】
【００１９】
本発明におけるトレーニングウェア生地素材は、ストレッチ性があり、該生地素材はトレーニングウェアとして最適な重量負荷を得るために単位面積あたりの重量で５００ｇ／ｍ２以上の目付を有する生地素材にて構成されていることが好ましい。
【００２０】
本発明は、天然繊維及び／又は化学繊維（何れも一種又は複数種の）を交編又は交織した、重量負荷があり且つストレッチ性のある一枚のトレーニングウェア用生地素材を形成する。
【００２１】
尚、該生地素材を、化学繊維中のポリエステルとポリウレタンとを交編した２ウエイトリコットボンディング生地素材とすることも好ましい形態といえる。
【００２２】
而して、前記生地素材は、一枚の生地素材ではトレーニングウェアとして最適な重量負荷が得られない場合更に該生地素材をボンディングあるいは縫製等で一枚重ね合わせて二重とし、または複数枚重ね合わせて単位面積あたりの重量（目付）をアップせしめ、該重量を増した二枚重ね、または複数枚重ねの生地素材を用いていることを要旨としている。
【００２３】
尚、前記化学繊維として、重量感のあるポリウレタンを選択することも好ましい形態である。
【００２４】
また、本発明においては、前記生地素材を一枚でベース生地素材として縫製してトレーニングウェアを製作するに際し、該トレーニングウェアの関節部位は、ストレッチ性に富んだ機能を必要とするために前記一枚の生地素材のみで形成し、前記関節部以外は重量を増した二枚重ね、または複数枚重ねの生地素材を用いた構成が好ましい。
【００２５】
また、本発明の前記トレーニングウェアの生地素材は、重量負荷が大きいために着用者の発汗作用が著しく部分的に吸汗発散機能のあるメッシュ素材を生地素材として使用し、前記トレーニングウェアにメッシュ素材からなる発汗部を適宜に設けることが好ましい。
【００２６】
また、本発明の前記メッシュ素材は、経編からなるエステルメッシュであることも好ましい形態と言える。
【００２７】
更にまた、本発明においては、ウェイト・トレーニングウェアを通常のトレーニングウェア内側に縫製して一体化、または、通常のトレーニングウェアの内側に着込むアンダーウェアとなし、該トレーニングウェアは天然繊維及び／又は化学繊維（何れも一種又は複数種の）を交編又は交織した、重量負荷がある生地を二枚合わせて接着剤等にてボンディング又は縫製してストレッチ性のある一枚のトレーニングウェア用生地素材を形成している。
【００２８】
そして、該生地素材は、一枚の生地素材でトレーニングウェアとして最適な重量負荷が得られない場合に、更に該生地素材をボンディング又は縫製等で二枚重ねまたは複数枚重ね合わせして単位面積あたりの重量（目付）をアップせしめ、該重量を増した二枚重ねまたは複数枚重ねの生地素材にて関節部位等を除くストレッチ性をあまり必要としない部位を構成したウエイト・トレーニングウェア又はウエイト・トレーニング用アンダーウェアとすることもまた好ましい応用例となる。
【実施例１】
【００２９】
尚、本発明明細書に於いて言うウエイト・トレーニングウェアとは、厳密な意味での運動選手のためのトレーニング用に限らず、健康保持乃至増進用、リハビリ回復能力向上用あるいは一般的競技力向上用ウェアをも広く含む概念である。
【００３０】
図１（a）、（ｂ）並びに図２（a）、（ｂ）、（ｃ）、（ｄ）は、本発明の第一実施例を説明するもので、図１（a）は本発明のウエイト・トレーニングウェア上着前身頃部を示す外観説明図、図１（ｂ）は本発明のウエイト・トレーニングウェア上着後身頃を示す外観説明図、図２（a）は本発明のウエイト・トレーニングウェアパンツ前身頃を示す外観説明図、図２（ｂ）は本発明のウエイト・トレーニングウェアパンツ後身頃を示す外観説明図、図２（ｃ）は本発明のウエイト・トレーニングウェアパンツ横身頃を示す外観説明図である。
【００３１】
また、図３は図１（a）におけるA−A断面拡大図を示す概略図であり、図３はトレーニングウェア生地素材の構成配列を説明するものである。
【００３２】
図１、並びに図２において、１は本発明のウエイト・トレーニングウェア上着を示し、２は同じく本発明のウエイト・トレーニングウェアパンツを示している。  而して、３は、本実施例で採択した、２ウェイトリコットボンディング生地素材、４は、同二重合わせの２ウェイトリコットボンディング生地素材、５は、同エステルメッシュから成る発汗部を示し、該２ウェイトリコットボンディング生地素材３、二重合わせの２ウェイトリコットボンディング生地素材４、エステルメッシュから成る発汗部５からなるトレーニングウェア上着１，トレーニングウェアパンツ２における、６は首部、７は肩関節部、８は腕関節部、９は股の関節部、１０は腰関節部、１１は膝関節部をそれぞれ示している。
【００３３】
斯くして本実施例は、上記、首部６、肩関節部７、腕関節部８、股の関節部９、腰関節部１０、膝関節部１１をストレッチ性に富んだ機能を必要とする関節部として扱い、該関節部はトレーニングウェアとして非常に動きのある部位であり、特に伸縮性が要求されるため、該関節部は、一枚の２ウェイトリコットボンディング生地素材３からなるベース生地素材のみで構成した。
【００３４】
また、上記関節部位付近は、部位によっては、着用者の発汗作用が著しいので、本例ではエステルメッシュからなる発汗部５にて構成し、該発汗部５はストレッチ性に富んだ部位としている。
【００３５】
そして、上記以外の他の部位には、適度なストレッチ性（伸縮性）があれば、運動には支障がないために、前記ベース生地素材の２ウェイトリコットボンディング生地素材３を二枚重ね合わせるか、複数枚重ね合わせて形成した２ウェイトリコットボンディング生地素材４を用いている。
【００３６】
即ち、本実施例のウェイト・トレーニングウェア１（上着）、２（パンツ）は発汗部５を除くベース生地素材を２ウェイトリコットボンディング生地素材３をベース素材として縫製しており、該２ウェイトリコットボンディング生地素材３部分が、関節部として表示される部位６、７、８、９、１０、１１等で表面に現れ図１、並びに図２に表示されている。
【００３７】
そして、上記、関節部以外は、２ウェイトリコットボンディング生地素材３に２ウェイトリコットボンディング生地素材を、もう一枚重ね合わせるか、複数枚重ね合わせ、ストレッチ性（伸縮性）を維持し、且つ、トレーニングウェア１、２として最適な重量負荷を得るために単位面積あたりの重量で５００ｇ／ｍ２以上の目付を有する２ウェイトリコットボンディング生地素材４にて構成されていることが条件となる。  
【００３８】
斯くして、本実施例では、上記の条件を満足させるために、トレーニングウェア１、２の生地素材としては、ポリエステルとポリウレタンを交編した２ウェイトリコット生地を二枚重ねて接着剤１２にてボンディングして、ストレッチ性のある一枚のトレーニングウェア用２ウェイトリコットボンディング生地素材３を形成した。
【００３９】
前記形成された２ウェイトリコットボンディング生地素材３は、一枚の生地素材でウェイト・トレーニングウェア１、２として、最適な重量負荷が得られない場合に、更に該２ウェイトリコットボンディング生地素材を接着剤１３にてボンディングして二枚重ねとし、または、複数枚重ね合わせて単位面積あたりの重量（目付）をアップせしめ、該重量を増した二枚重ね、または複数枚重ねの２ウェイトリコットボンディング生地素材４を用いて関節部以外を構成している。
【００４０】
また、図３は図１のＡ−Ａ断面概略図を示すもので、図３において、４は２ウェイトリコットボンディング生地素材を示し、該部分は２ウェイトリコットボンディング生地素材を接着剤１３を介してボンディングし二枚重ね構造となし、ウェイト・トレーニングウェアの本体を形成している。
【００４１】
また、５は本例で採択したエステルメッシュから成る発汗部を示しており、該発汗部５から関節部を構成する２ウェイトリコットボンディング生地素材３に縫製にて連繋されており、該２ウェイトリコットボンディング生地素材３は、また二重の２ウェイトリコットボンディング生地素材４へと連繋されている。
【００４２】
而して本例にて採択した経編のエステルメッシュから成る発汗部５の構成は、着用者の発汗作用が著しい２ウェイトリコットボンディング生地素材３、４を部分的に開口しているもので、該発汗部５は冬季用ウェイト・トレーニングウェアにあっては、保温のために発汗部５は不要になったり、規模を小さくしたり、配置場所を任意に変更する等、如何様にも変更できることは、当然のことである。
【００４３】
而して、本実施例のトレーニングウェア生地素材である２ウェイトリコットボンディング生地素材３は、ストレッチ性があり、該生地素材はトレーニングウェアとして最適な重量負荷を得るために単位面積あたりの重量で５００ｇ／ｍ２以上の目付を有する生地素材にて構成されている。
【００４４】
また、本実施例に使用されるトレーニングウエアの生地素材たる２ウェイトリコットボンディング生地素材３、４は、上記の条件を満足できるように、ポリエステルとポリウレタンとを交編した２ウェイトリコット生地を二枚重ね接着剤１２にてボンディングして、ストレッチ性のある一枚のトレーニングウェア用２ウェイトリコットボンディング生地素材３を形成している。
【００４５】
そして、前記２ウェイトリコットボンディング生地素材３の生地素材でトレーニングウェアとして最適な重量負荷が得られない場合に、更に該２ウェイトリコットボンディング生地素材３を接着剤１３にてボンディングして二枚に重ね合わせて二重とし、または複数枚重ね合わせて単位面積あたりの重量（目付）をアップせしめ、該重量を増した二枚重ね、または複数枚重ねの２ウェイトリコットボンディング生地素材３を２ウェイトリコットボンディング生地素材４としてを用いることにより本実施例のウェイト・トレーニングウェアを構成している。
【００４６】
【表１】
2006122088.tif 000003
【００４７】
【表２】
2006122088.tif 000004
【００４８】
而して、上記表１、並びに表２は、大学の野球部の協力を得て、A選手、B選手に本発明のウエイト・トレーニングウェアを着用して２週間という短期の合宿に参加してもらい、該２週間の合宿前後の選手の体力測定を行った結果を示すものである。
表１、並びに表２のそれぞれの選手のウエイト・トレーニングウェアの使用前と使用後の運動能力を測定して比較するると、A選手、B選手共に２週間の使用後の筋力並びに敏捷性のアップが容易に確認できた。
【００４９】
尚、念のため附言するが、表１、表２に於ける数値の向上は、僅か２週間という短期間の使用を考えれば、スポーツ医学の常識上、極めて大なる数値の向上たること明らかである。
【実施例２】
【００５０】
図４は本発明の第二実施例を示す要部拡大断面図で、トレーニングウェア生地素材３とウェアの化粧表生地との関係を示している。図４において、１４はウェア化粧表生地、３は２ウェイトリコットボンディング生地素材、４は二重にボンディングされた２ウェイトリコットボンディング生地素材、１２は２ウェイトリコットボンディング生地素材３を形成する接着剤、１３は２ウェイトリコットボンディング生地素材４を形成する接着剤を示している。
【００５１】
而して、本発明の第二実施例は、通常のトレーニングウェア内側に縫製して一体化する構成のウェイト・トレーニングウェア、または、通常のトレーニングウェアの内側に着込むアンダーウェア形状のウェイト・トレーニングウェアである。
そして、該トレーニングウェアは、化学繊維として採択したポリエステルとポリウレタンとを交編した２ウェイトリコット生地を接着剤層にてボンディングしてストレッチ性のある一枚のトレーニングウェア用２ウェイトリコットボンディング生地素材３を形成している。
【００５２】
前記該２ウェイトリコットボンディング生地素材３は一枚の生地素材でトレーニングウェアとして最適な重量負荷が得られない場合には、更に該２ウェイトリコットボンディング生地素材３をボンディング等で二枚重ね、または複数枚重ね合わせして単位面積あたりの重量（目付）をアップせしめ、該重量を増した二枚重ね、または複数枚重ねの２ウェイトリコットボンディング生地素材４にて関節部位等を除く、ストレッチ性をあまり必要としない部位を構成したものであって、本発明の応用例を広く示している。
【産業上の利用可能性】
【００５３】
斯くして、本発明は、従来のトレーニング器具やおもりを使用したウエイト・トレーニングが実際のスポーツの時と同じ動作で行うことができず、ウエイトトレーニングによって本来使用する筋肉と違う筋肉をも鍛えてしまうという欠点を防止するウエイト・トレーニングウェアを提供することができた。
【００５４】
また、本発明は、実際の練習時に着用してプレー時の動きを実践し、その動きの中で筋肉に負荷をあたえるもので、効果的なトレーニングを行いながら、当該スポーツに必要な筋肉を鍛えることができるものである。
【００５５】
本発明においてはウエイト・トレーニングウェアを脱いだ時、通常のウェアでは非常に軽く感じることから、機敏性が向上する等の効果があり、その効果は従来のウエイトトレーニングでは、期待できなかった新規な効果を有しており、ウエイト・トレーニングの方法を合理的に改革していくもので、そのウエイト・トレーニングウェアの製造は産業上大いに利用価値の大きいものである。
【００５６】
更に、本発明は、前記厳密な意味での運動選手用のみならず、一般的競技力の向上、一般的健康保持乃至増進、あるいはリハビリ回復能力向上、のためのウェアとしても適用可能であり、その産業的利用価値乃至範囲は更に拡大される。
【図面の簡単な説明】
【００５７】
【図１】本発明の第一実施例を説明するウエイト・トレーニングウェアの上着を示す外観図である。
【図２】本発明の第一実施例を説明するウエイト・トレーニングウェアのパンツを示す外観図である。
【図３】図１のＡ−Ａ拡大断面説明図である。
【図４】本発明の第二実施例を説明する拡大断面図である。
【符号の説明】
【００５８】
１  ウエイト・トレーニングウェア上着
２  ウエイト・トレーニングウェアパンツ
３  ２ウェイトリコットボンディング生地素材
４  二重合わせの２ウェイトリコットボンディング生地素材
５  発汗部
６  首部
７  肩関節部
８  腕関節部
９  股の関節部
１０  腰関節部
１１  膝関節部
１２  接着剤
１３  接着剤
１４  ウェア化粧表生地
【図１ａ】
2006122088.tif 000005
【図１ｂ】
2006122088.tif 000006
【図２ａ】
2006122088.tif 000007
【図２ｂ】
2006122088.tif 000008
【図２ｃ】
2006122088.tif 000009
【図３】
2006122088.tif 000010
【図４】
2006122088.tif 000011